(57)【要約】      （修正有）【課題】少ない部品点数と簡単な構造と凹凸壁面にも貼付けを可能とした素材を用いた，写真や書類等を壁面に簡易掲示する簡易掲示具を提供する。【解決手段】アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示方法及び掲示具の提供であり、その粘性を有したアクリル樹脂発泡体シートは、表裏共に同粘着性と吸着性を有する素材であるか又はその片面に発泡していない微粘着素材を塗布加工された素材の何れかを用いている。【選択図】図１
0003147095.tif 000002
【実用新案登録請求の範囲】
【請求項１】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示方法及び掲示具の提供であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物と示す』）の角端部又は端辺をはみ出す様に貼り付け素材が片面否発泡の微粘着加工面の場合であれば、その微粘着面を掲示物の裏面から止着させ、更にその掲示物表面からはみ出した貼り付け素材部位に意匠印刷を施した透可視素材シートを貼りあわせ掲示物をその透可視シートと固定させ、その掲示物の裏面側に配置された粘着性と吸着性を有する素材部位で壁面へ貼り付け掲示させる掲示方法又は掲示具。
【請求項２】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示方法及び掲示具の提供であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物と示す』）の角端部又は端辺をはみ出す様に貼り付け素材が片面否発泡の微粘着加工面の場合であれば、その微粘着面を掲示物の裏面から止着させ、更にその掲示物表面からはみ出した貼り付け素材部位に枠部を残し打ち抜き加工を施した不透明素材シートを貼りあわせ掲示物をそのシートと固定させ、その掲示物の裏面側に配置された粘着性と吸着性を有する素材部位で壁面へ貼り付け掲示させる掲示方法又は掲示具。
【請求項３】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示方法及び掲示具の提供であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物と示す』）の角端部又は端辺をはみ出す様に貼り付け素材が片面否発泡の微粘着加工面の場合であれば、その微粘着面の裏面を掲示物の表面側から止着させ、更にその掲示物表面側貼り付け素材部位に意匠印刷を施した透可視素材シートを貼りあわせ掲示物をその透可視シートと固定させ、その掲示物の裏面側に掲示物からはみ出した粘着性と吸着性を有する素材部位で壁面へ貼り付け掲示させる掲示方法又は掲示具。
【請求項４】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示方法及び掲示具の提供であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物と示す』）の角端部又は端辺をはみ出す様に貼り付け素材が片面否発泡の微粘着加工面の場合であれば、その微粘着面の裏面を掲示物の表面から止着させ、更にその掲示物表面貼り付け素材部位に枠部を残し打ち抜き加工を施した不透明素材シートを貼りあわせ掲示物をそのシートと固定させ、その掲示物の裏面側にはみ出した粘着性と吸着性を有する素材部位で壁面へ貼り付け掲示させる掲示方法又は掲示具。
【考案の詳細な説明】
【技術分野】
【０００１】  本考案は、収納構造を持たずに写真や書類等の掲示物の表面を汚れから保護するかまたは意匠的な効果を有するシート素材と共に掲示物を壁面に固定させる方法及び固定具に関するものである。非常に簡単な構造と少ない部品点数で掲示物を保護または意匠的に額縁に収納しているかのごとく美しく飾りながら壁面へ固定掲示させかつ使用している素材の特性から止着させた壁面と掲示物両方とも表面を傷めたり糊の残留で汚したりすることなく除去取り外しを可能にした掲示方法及び掲示固定具を考案提示する。
【背景技術】
【背景技術】
【０００２】  写真や書類を壁面に固定させようとする場合通常その写真書類を直接画鋲や粘着テープを使用する方法を取るか、若しくはフォトフレームなど額縁に入れて写真書類を汚れや傷などから保護しながら美しく掲示する方法等があるがその場合でも、壁面に釘やネジや画鋲などで穴などあけて固定させる方法や、接着剤や粘着テープで壁面に固定する方法で固定させることになり、除去後壁面に傷を付けることを免れなかった。【０００３】  また特許文献特開２００３−３２１６５３では、吸着素材を使用した軽量物品壁面取り付け具に関して開示しているが、そこで説明されている吸着素材の技術は過去から存在するもので、表面が光沢面でのみその吸着効果を発揮する素材を用いて居り、壁紙など僅かの凹凸面にも止着させるには、粘着テープ又は接着剤を用いた方法に頼らざるを得ない。また写真などの掲示物を保持する方法に関しても額縁などの掲示物収納構造を有した構造物を用いる手段を選択せざるを得ない。公開実用新案公報昭６１−７７８６４でも考案には常に掲示物の収納構造を持ったものを使用した考え方である。
【考案の開示】
【考案が解決しようとする課題】
【０００４】  以上の様に、写真や書類等を額縁などで意匠を施し掲示する場合その掲示物自体は僅かな重量であるにも関わらず、収納構造のものが重量を有するため強い粘着素材や画鋲などを用いて掲示しなければならなくなる。掲示取り付け壁面に穴を開けずまた剥がして除去したとき強い粘着剤などで壁面を破損することも無くまた粘着物の残留もなく美しく除去することを実現し凹凸面への貼り付けを可能にした素材を採用することと、また保護カバーとしてまたは意匠枠としての機能を有するシート材を貼り付ける簡単で軽量な構造を採用することで、壁面も掲示物も汚さず傷つけずに意匠的に掲示物を掲示することを目的とした掲示方法及び掲示具を提供する。
【課題を解決するための手段】まず上記効果の掲示方法を実現するために、凹凸面にもその表面形状になじみながら止着することが出来て且つ剥がしたときに、壁面の破損や粘着素材の残留が無く除去でき得る素材の調達を必要とした。【０００５】  本考案で採用している、粘着性樹脂を成型過程で含有させたアクリル系発泡樹脂シートは、粘着性樹脂を含有させなくともその発泡形状の形成過程で表面に形成される独立気泡体の吸盤構造で、光沢面であればその吸盤構造による吸着効果で貼り付けることが出来る、しかし凹凸面には止着させることは出来ない。【０００６】  そこでそのアクリル系発泡体シートの形成過程でその樹脂と同系の素材で粘着性を有する樹脂を混合させ成型させることにした。発泡体シートを形成するベース樹脂と粘着性を有する樹脂の素材が同じアクリル系の素材を用いていることで、シート形成後もその含有させた粘着性樹脂の効果である粘着性を発揮させながら、粘着性樹脂はベース樹脂と強く絡み合った状態になり被着体への粘着成分の移行も殆ど起こらない上、吸盤効果の吸着性も有する素材を実現させ且つ止着後剥がした時、樹脂の発泡構造の伸縮性で被着体を傷めることも無いし、説明の通り粘着成分の残留も無い物質を実現した。【０００７】  この特殊な吸着素材だけを用いて、掲示物を凹凸のある壁面にも掲示することが出来るが、本考案は意匠的な掲示を目的とした方法を提案するもので、意匠を施した掲示を実現するために、透過性の樹脂シートに枠部分など意匠の印刷を施したものか、不透過性のシートに枠形状を残した縁形状の打ち抜き加工を施したシートを用いて簡単な部品構成で掲示する方法を考案する。【０００８】  本考案の実施形態では，部品の構成は写真や書類などの掲示物意外は、掲示物表面側を覆う様に貼る素材シートとアクリル発泡の吸着素材のみで、非常に少ない部品点数で意匠を施した写真や書類等の掲示物の掲示を実現することが出来る。部品点数が少ないことで、使い手に安価に掲示方法を提供することが出来る。
【考案の実施形態】
本考案の実施形態を説別紙図面の図１，図２，図３，図４にて説明する。図で（１）は写真や書類などの掲示物を，（２）はアクリル発泡吸着素材の貼付素材を，（３）は掲示物の表面側を覆う様に貼る透可視性素材シートを，（４）は掲示物の表面側に貼る枠部を残し打ち抜き加工された不透明素材シートを各々示している。
【０００９】図１は、請求項１の実施形態の説明をしており、図１ａ）で掲示物（１）への貼付素材（２）の止着形態を図示しており、図１ｂ）で掲示物（１）の表面を覆う様に止着させた透可視素材シート（３）を掲示物の表面側から見たところと，壁面へ止着させた形態の断面を図示する。掲示物表面側に貼り付ける透可視性素材シートに施した印刷を図面の斜線部の様に施すことで表面側から見た時にも貼付け素材（２）も視認されることなく，この図１の示す形態で壁面へ掲示物を掲示することが出来る。壁面への貼付け実施形態は，壁面側から順に貼付け素材（２），掲示物（１），透可視性素材シート（３）となる。
【００１０】図２は、請求項２の実施形態の説明をしており、掲示物（１）への貼付素材（２）の止着形態は図１と同じなので省略している、図２ｃ）で掲示物（１）の表面側から止着させた枠部を残して打ち抜き加工された不透明素材シート（４）を掲示物の表面側から見たところと，壁面へ止着させた形態の断面を図示する。掲示物表面側に貼り付ける不透明素材シートに施した抜き加工は図面の斜線部の様に施すことで表面側から見た時にも貼付け素材（２）も視認されることなく，この図１の示す形態で壁面へ掲示物を掲示することが出来る。壁面への貼付け実施形態は，壁面側から順に貼付け素材（２），掲示物（１），不透明素材シート（４）となる。
【００１１】図３は、請求項３の実施形態の説明をしており、図３ｄ）で掲示物（１）への貼付素材（２）の止着形態を図示しており、図３ｂ）で掲示物（１）の表面を覆う様に止着させた透可視素材シート（３）を掲示物の表面側から見たところと，壁面へ止着させた形態の断面を図示する。掲示物表面側に貼り付ける透可視性素材シートに施した印刷を図面の斜線部の様に施すことで表面側から見た時にも貼付け素材（２）も視認されることなく，この図１の示す形態で壁面へ掲示物を掲示することが出来る。壁面への貼付け実施形態は，壁面側から順に掲示物（１），貼付け素材（２），透可視性素材シート（３）となる。
【００１２】図４は、請求項４の実施形態の説明をしており、掲示物（１）への貼付素材（２）の止着形態は図３と同じなので省略している、図４ｆ）で掲示物（１）の表面側から止着させた枠部を残して打ち抜き加工された不透明素材シート（４）を掲示物の表面側から見たところと，壁面へ止着させた形態の断面を図示する。掲示物表面側に貼り付ける不透明素材シートに施した抜き加工は図面の斜線部の様に施すことで表面側から見た時にも貼付け素材（２）も視認されることなく，この図１の示す形態で壁面へ掲示物を掲示することが出来る。壁面への貼付け実施形態は，壁面側から順に掲示物（１），貼付け素材（２），不透明素材シート（４）となる。
【図面の簡単な説明】
【００１３】
【図１】請求項１の実施形態を説明する。
【図２】請求項２の実施形態を説明する。
【図３】請求項３の実施形態を説明する。
【図４】請求項４の実施形態を説明する。
【符号の説明】
【００１４】（１）掲示物
（２）貼付け素材
（３）透可視性素材シート
（４）不透明素材シート
ａ）請求項１並びに請求項２の実施形態における掲示物への貼付け素材の貼付け状態
ｂ）請求項１の実施形態の貼付け状態の断面図
ｃ）請求項２の実施形態の貼付け状態の断面図
ｄ）請求項３並びに請求項４の実施形態における掲示物への貼付け素材の貼付け状態
ｅ）請求項３の実施形態の貼付け状態の断面図
ｆ）請求項４の実施形態の貼付け状態の断面図
【図１】
0003147095.tif 000003
【図２】
0003147095.tif 000004
【図３】
0003147095.tif 000005
【図４】
0003147095.tif 000006
【手続補正書】
【提出日】平成20年9月3日(2008.9.3)
【手続補正１】
【補正対象書類名】実用新案登録請求の範囲
【補正対象項目名】全文
【補正方法】変更
【補正の内容】
【実用新案登録請求の範囲】
【請求項１】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示固定具であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物』と示す）の角端部又は端辺をはみ出す様に貼り付け素材が片面否発泡の微粘着加工面の場合であれば、その微粘着面を掲示物の裏面から止着させ、更にその掲示物表面からはみ出した貼り付け素材部位に意匠印刷を施した透可視素材シートを貼りあわせ掲示物をその透可視シートと固定させ、その掲示物の裏面側に配置された粘着性と吸着性を有する素材部位で壁面へ貼り付け掲示させる写真書類等の掲示固定具。
【請求項２】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示固定具であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物』と示す）の角端部又は端辺をはみ出す様に貼り付け素材が片面否発泡の微粘着加工面の場合であれば、その微粘着面を掲示物の裏面から止着させ、更にその掲示物表面からはみ出した貼り付け素材部位に枠部を残し打ち抜き加工を施した不透明素材シートを貼りあわせ掲示物をそのシートと固定させ、その掲示物の裏面側に配置された粘着性と吸着性を有する素材部位で壁面へ貼り付け掲示させる写真書類等の掲示固定具。
【請求項３】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示固定具であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物』と示す）の角端部又は端辺をはみ出す様に貼り付け素材が片面否発泡の微粘着加工面の場合であれば、その微粘着面の裏面を掲示物の表面側から止着させ、更にその掲示物表面側貼り付け素材部位に意匠印刷を施した透可視素材シートを貼りあわせ掲示物をその透可視シートと固定させ、その掲示物の裏面側に掲示物からはみ出した粘着性と吸着性を有する素材部位で壁面へ貼り付け掲示させる写真書類等の掲示固定具。
【請求項４】
アクリル系樹脂の発泡体シートで表面に吸盤機能を有する単一気泡形状を形成するものをその成型工程で粘着性を有する同アクリル系樹脂を含有させて成型させた素材を用いた、書類及び写真の掲示固定具であり、その粘性を有したアクリル樹脂発泡体シートは、表裏共に同粘着性と吸着性を有する素材であるか又はその片面に発泡していない微粘着素材を塗布加工された素材の何れか（以下『貼り付素材』と示す）を用い、写真及び書類等の掲示物（以下『掲示物』と示す）の角端部又は端辺をはみ出す様に貼り付け素材が片面否発泡の微粘着加工面の場合であれば、その微粘着面の裏面を掲示物の表面から止着させ、更にその掲示物表面貼り付け素材部位に枠部を残し打ち抜き加工を施した不透明素材シートを貼りあわせ掲示物をそのシートと固定させ、その掲示物の裏面側にはみ出した粘着性と吸着性を有する素材部位で壁面へ貼り付け掲示させる写真書類等の掲示固定具。
【手続補正２】
【補正対象書類名】明細書
【補正対象項目名】全文
【補正方法】変更
【補正の内容】
【考案の詳細な説明】
【技術分野】
【０００１】  本考案は、収納構造を持たずに写真や書類等の掲示物の表面を汚れから保護するかまたは意匠的な効果を有するシート素材と共に掲示物を壁面に固定させる固定具に関するものである。非常に簡単な構造と少ない部品点数で掲示物を保護または意匠的に額縁に収納しているかのごとく美しく飾りながら壁面へ固定掲示させかつ使用している素材の特性から止着させた壁面と掲示物両方とも表面を傷めたり糊の残留で汚したりすることなく除去取り外しを可能にした掲示固定具を考案提示する。
【背景技術】
【０００２】  写真や書類を壁面に固定させようとする場合通常その写真書類を直接画鋲や粘着テープを使用する方法を取るか、若しくはフォトフレームなど額縁に入れて写真書類を汚れや傷などから保護しながら美しく掲示する方法等があるがその場合でも、壁面に釘やネジや画鋲などで穴などあけて固定させる方法や、接着剤や粘着テープで壁面に固定する方法で固定させることになり、除去後壁面に傷を付けることを免れなかった。【０００３】  また特許文献特開２００３−３２１６５３では、吸着素材を使用した軽量物品壁面取り付け具に関して開示しているが、そこで説明されている吸着素材の技術は過去から存在するもので、表面が光沢面でのみその吸着効果を発揮する素材を用いて居り、壁紙など僅かの凹凸面にも止着させるには、粘着テープ又は接着剤を用いた方法に頼らざるを得ない。また写真などの掲示物を保持する方法に関しても額縁などの掲示物収納構造を有した構造物を用いる手段を選択せざるを得ない。公開実用新案公報昭６１−７７８６４でも考案には常に掲示物の収納構造を持ったものを使用した考え方である。
【考案の開示】
【考案が解決しようとする課題】
【０００４】  以上の様に、写真や書類等を額縁などで意匠を施し掲示する場合その掲示物自体は僅かな重量であるにも関わらず、収納構造のものが重量を有するため強い粘着素材や画鋲などを用いて掲示しなければならなくなる。掲示取り付け壁面に穴を開けずまた剥がして除去したとき強い粘着剤などで壁面を破損することも無くまた粘着物の残留もなく美しく除去することを実現し凹凸面への貼り付けを可能にした素材を採用することと、また保護カバーとしてまたは意匠枠としての機能を有するシート材を貼り付ける簡単で軽量な構造を採用することで、壁面も掲示物も汚さず傷つけずに意匠的に掲示物を掲示することを可能にした掲示固定具を提供する。
【課題を解決するための手段】まず上記効果を有するの掲示固定具を実現するために、凹凸面にもその表面形状になじみながら止着することが出来て且つ剥がしたときに、壁面の破損や粘着素材の残留が無く除去でき得る素材の調達を必要とした。【０００５】  本考案で採用している、粘着性樹脂を成型過程で含有させたアクリル系発泡樹脂シートは、粘着性樹脂を含有させなくともその発泡形状の形成過程で表面に形成される独立気泡体の吸盤構造で、光沢面であればその吸盤構造による吸着効果で貼り付けることが出来る、しかし凹凸面には止着させることは出来ない。【０００６】  そこでそのアクリル系発泡体シートの形成過程でその樹脂と同系の素材で粘着性を有する樹脂を混合させ成型させることにした。発泡体シートを形成するベース樹脂と粘着性を有する樹脂の素材が同じアクリル系の素材を用いていることで、シート形成後もその含有させた粘着性樹脂の効果である粘着性を発揮させながら、粘着性樹脂はベース樹脂と強く絡み合った状態になり被着体への粘着成分の移行も殆ど起こらない上、吸盤効果の吸着性も有する素材を実現させ且つ止着後剥がした時、樹脂の発泡構造の伸縮性で被着体を傷めることも無いし、説明の通り粘着成分の残留も無い物質を実現した。【０００７】  この特殊な吸着素材だけを用いて、掲示物を凹凸のある壁面にも掲示することが出来るが、本考案は意匠的な掲示を目的とした掲示固定具を提案するもので、意匠を施した掲示を実現するために、透過性の樹脂シートに枠部分など意匠の印刷を施したものか、不透過性のシートに枠形状を残した縁形状の打ち抜き加工を施したシートを用いて簡単な部品構成で掲示する固定具を考案する。【０００８】  本考案の実施形態では，部品の構成は写真や書類などの掲示物意外は、掲示物表面側を覆う様に貼る素材シートとアクリル発泡の吸着素材のみで、非常に少ない品点数で意匠を施した写真や書類等の掲示物の掲示を実現することが出来る。品点数が少ないことで、使い手に安価に掲示固定具を提供することが出来る。
【考案を実施するための最良の形態】本考案の実施形態を説別紙図面の図１，図２，図３，図４にて説明する。図で（１）は写真や書類などの掲示物を，（２）はアクリル発泡吸着素材の貼付素材を，（３）は掲示物の表面側を覆う様に貼る透可視性素材シートを，（４）は掲示物の表面側に貼る枠部を残し打ち抜き加工された不透明素材シートを各々示している。【０００９】図１は、請求項１の実施形態の説明をしており、図１ａ）で掲示物（１）への貼付素材（２）の止着形態を図示しており、図１ｂ）で掲示物（１）の表面を覆う様に止着させた透可視素材シート（３）を掲示物の表面側から見たところと，壁面へ止着させた形態の断面を図示する。掲示物表面側に貼り付ける透可視性素材シートに施した印刷を図面の斜線部の様に施すことで表面側から見た時にも貼付け素材（２）も視認されることなく，この図１の示す形態で壁面へ掲示物を掲示することが出来る。壁面への貼付け実施形態は，壁面側から順に貼付け素材（２），掲示物（１），透可視性素材シート（３）となる。【００１０】図２は、請求項２の実施形態の説明をしており、掲示物（１）への貼付素材（２）の止着形態は図１と同じなので省略している、図２ｃ）で掲示物（１）の表面側から止着させた枠部を残して打ち抜き加工された不透明素材シート（４）を掲示物の表面側から見たところと，壁面へ止着させた形態の断面を図示する。掲示物表面側に貼り付ける不透明素材シートに施した抜き加工は図面の斜線部の様に施すことで表面側から見た時にも貼付け素材（２）も視認されることなく，この図１の示す形態で壁面へ掲示物を掲示することが出来る。壁面への貼付け実施形態は，壁面側から順に貼付け素材（２），掲示物（１），不透明素材シート（４）となる。【００１１】図３は、請求項３の実施形態の説明をしており、図３ｄ）で掲示物（１）への貼付素材（２）の止着形態を図示しており、図３ｂ）で掲示物（１）の表面を覆う様に止着させた透可視素材シート（３）を掲示物の表面側から見たところと，壁面へ止着させた形態の断面を図示する。掲示物表面側に貼り付ける透可視性素材シートに施した印刷を図面の斜線部の様に施すことで表面側から見た時にも貼付け素材（２）も視認されることなく，この図１の示す形態で壁面へ掲示物を掲示することが出来る。壁面への貼付け実施形態は，壁面側から順に掲示物（１），貼付け素材（２），透可視性素材シート（３）となる。【００１２】図４は、請求項４の実施形態の説明をしており、掲示物（１）への貼付素材（２）の止着形態は図３と同じなので省略している、図４ｆ）で掲示物（１）の表面側から止着させた枠部を残して打ち抜き加工された不透明素材シート（４）を掲示物の表面側から見たところと，壁面へ止着させた形態の断面を図示する。掲示物表面側に貼り付ける不透明素材シートに施した抜き加工は図面の斜線部の様に施すことで表面側から見た時にも貼付け素材（２）も視認されることなく，この図１の示す形態で壁面へ掲示物を掲示することが出来る。壁面への貼付け実施形態は，壁面側から順に掲示物（１），貼付け素材（２），不透明素材シート（４）となる。
【図面の簡単な説明】
【００１３】
【図１】請求項１の実施形態を説明する。
【図２】請求項２の実施形態を説明する。
【図３】請求項３の実施形態を説明する。
【図４】請求項４の実施形態を説明する。
【符号の説明】
【００１４】（１）掲示物
（２）貼付け素材
（３）透可視性素材シート
（４）不透明素材シート
ａ）請求項１並びに請求項２の実施形態における掲示物への貼付け素材の貼付け状態
ｂ）請求項１の実施形態の貼付け状態の断面図
ｃ）請求項２の実施形態の貼付け状態の断面図
ｄ）請求項３並びに請求項４の実施形態における掲示物への貼付け素材の貼付け状態
ｅ）請求項３の実施形態の貼付け状態の断面図
ｆ）請求項４の実施形態の貼付け状態の断面図